【事件の表示】
　特許第２７９４７６０号「受光回路」の請求項１に係る特許に対する特許異議の申立てについて、次のとおり決定する。
【結　論】
　訂正を認める。
　特許第２７９４７６０号の請求項１に係る特許を維持する。
【理　由】
１　手続の経緯
　本件特許第２７９４７６０号（平成１年４月４日出願、平成１０年６月２６日設定登録）について、異議申立人シャープ株式会社から特許異議の申立てがなされ、取消しの理由が通知され、その指定期間内である平成１１年８月２３日に訂正請求（後日取下げ）された後、再度取消しの理由が通知され、その指定期間内である平成１３年１月５日に訂正請求がされた。
　
２　訂正の適否についての判断
　特許権者が求めている訂正の内容は次の訂正事項Ａ〜訂正事項Ｄである。
［訂正事項Ａ］
　特許請求の範囲の記載中、「入力電流に対して電流増幅後に電圧変換した出力を取り出すトランスインピーダンス型増幅回路」を「一方の端子が電源端子に接続され、かつ他方の端子が接地されるとともに、入力電流に対して電流増幅後に電圧変換した出力を取り出すトランスインピーダンス型増幅回路」に訂正する。
　これに伴い、明細書の「課題を解決するための手段」及び「発明の効果」の各欄において、「入力電流に対して電流増幅後に電圧変換した出力を取り出すトランスインピーダンス型増幅回路」という記載を、「一方の端子が電源端子に接続され、かつ他方の端子が接地されるとともに、入力電流に対して電流増幅後に電圧変換した出力を取り出すトランスインピーダンス型増幅回路」に訂正する。
［訂正事項Ｂ］
　特許請求の範囲の記載中、「該トランスインピーダンス型増幅回路の入力端子が結合コンデンサを介して受光素子とインピーダンス素子との間に接続された」を「該トランスインピーダンス型増幅回路の入力端子が、結合コンデンサを介して上記受光素子と上記インピーダンス素子との間に接続され、該インピーダンス素子のインピーダンスは、上記受光素子に逆バイアス電圧を印加したときの上記受光素子自体のインピーダンスよりも十分に低い値に設定された」に訂正する。
　これに伴い、明細書の「課題を解決するための手段」及び「発明の効果」の各欄において、「該トランスインピーダンス型増幅回路の入力端子が結合コンデンサを介して受光素子とインピーダンス素子との間に接続された」という記載を、「該トランスインピーダンス型増幅回路の入力端子が、結合コンデンサを介して受光素子とインピーダンス素子との間に接続され、該インピーダンス素子のインピーダンスは、上記受光素子に逆バイアス電圧を印加したときの上記受光素子自体のインピーダンスよりも十分に低い値に設定された」に訂正する。
［訂正事項Ｃ］
　明細書１１頁１７行（特許公報６欄６行）「そして、増幅部３」を「そして、フォトダイオード４を逆バイアスしたときのこのフォトダイオード４のインピーダンスは上述したように数十ギガオームと非常に高いので、増幅部３」に訂正する。
［訂正事項Ｄ］
　明細書６頁１６行（特許公報４欄１７行）「トランスインピーダンス増幅回路」を「トランスインピーダンス型増幅回路」に、明細書７頁３行（特許公報４欄２４行）「コンデンサｇを」を「コンデンサｇが」に、明細書１２頁６行（特許公報６欄１４行）「インデック管」を「インデックス管」に夫々訂正すると共に、明細書８頁９行（特許公報４欄４８行）および明細書１３頁末行（特許公報６欄４４行）「イングクタ」を「インダクタ」に夫々訂正する。
　
２−１　訂正の目的の適否、新規事項の有無及び拡張・変更の存否
　訂正事項Ａの特許請求の範囲の訂正は、特許請求の範囲に記載の「トランスインピーダンス型増幅回路」の構成を「一方の端子が電源端子に接続され、かつ他方の端子が接地される」と限定するもので、特許請求の範囲の減縮を目的とし、特許明細書９頁１６〜１８行（特許公報５欄２２〜２４行）の記載に基づき、願書に添付した明細書又は図面に記載した事項の範囲内においてされたものである。
　また、訂正事項Ａの明細書の発明の詳細な説明の訂正は、特許請求の範囲の訂正に伴い発明の詳細な説明の記載を整合させるためのもので、明りょうでない記載の釈明を目的とし、願書に添付した明細書又は図面に記載した事項の範囲内においてされたものである。そして、いずれの訂正も実質上特許請求の範囲を拡張し、又は変更するものではない。
　訂正事項Ｂの特許請求の範囲の訂正は、特許請求の範囲に記載の「インピーダンス素子」の構成を「該インピーダンス素子のインピーダンスは、上記受光素子に逆バイアス電圧を印加したときの上記受光素子自体のインピーダンスよりも十分に低い値に設定された」と限定するもので、特許請求の範囲の減縮を目的とし、特許明細書１１頁１６行〜１２頁４行（特許公報６欄６〜１２行）の記載に基づき、願書に添付した明細書又は図面に記載した事項の範囲内においてされたものである。
　また、訂正事項Ｂの明細書の発明の詳細な説明の訂正は、特許請求の範囲の訂正に伴い発明の詳細な説明の記載を整合させるためのもので、明りょうでない記載の釈明を目的とし、願書に添付した明細書又は図面に記載した事項の範囲内においてされたものである。そして、いずれの訂正も実質上特許請求の範囲を拡張し、又は変更するものではない。
　訂正事項Ｃは、明りょうでない記載の釈明を目的とし、願書に添付した明細書又は図面に記載した事項の範囲内においてされ、実質上特許請求の範囲を拡張し、又は変更するものではない。
　訂正事項Ｄは、誤記の訂正を目的とし、願書に添付した明細書又は図面に記載した事項の範囲内においてされ、実質上特許請求の範囲を拡張し、又は変更するものではない。
　
２−２　独立特許要件
（訂正後の発明）
　訂正後の発明は、その特許請求の範囲に記載された次のとおりのものと認められる。
　「受光素子の一方の端子が電源端子に接続され、他方の端子がインピーダンス素子を介して接地された入力部と、
　一方の端子が電源端子に接続され、かつ他方の端子が接地されるとともに、入力電流に対して電流増幅後に電圧変換した出力を取り出すトランスインピーダンス型増幅回路とを有し、
　該トランスインピーダンス型増幅回路の入力端子が、結合コンデンサを介して上記受光素子と上記インピーダンス素子との間に接続され、
　該インピーダンス素子のインピーダンスは、上記受光素子に逆バイアス電圧を印加したときの上記受光素子自体のインピーダンスよりも十分に低い値に設定された
　ことを特徴とする受光回路。」
（引用刊行物）
　再度の取消理由通知において示した引用刊行物１及び引用刊行物２には、次のとおりの発明が記載されている。
　［引用刊行物１：特開昭５９−６１２３６号公報］
　引用刊行物１第１図及び第２図には、「光検出素子101」の一方の端子が「電源Ｖ1」に接続され、かつ他方の端子が「抵抗器Ｒ1」を介して接地された光検出回路と、
　一方の端子が電源端子に接続され、かつ他方の端子が接地されるとともに、「入力電流信号を電圧信号に変換する機能を有」する「プリアンプ102」を有し、
　該「プリアンプ102」の入力端子を、「交流結合コンデンサＣ1」を介して「光検出素子101」と「抵抗器Ｒ1」の間に接続する光伝送用受信回路が記載されている。
　［引用刊行物２　特開昭６３−２５０９２８号公報］
　引用刊行物２の第２図には、「アバランシェフォトダイオード等の光−電気変換素子１」の一方の端子が電源端子に接続され、他方の端子が「抵抗器２」を介して接地され、
　「増幅器５」と「帰還抵抗器６」とで構成される「前置増幅器」とを有し、
　該「前置増幅器」の入力端子を、「直流阻止コンデンサ４」を介して「光−電気変換素子１」と「抵抗器２」との間に接続する光受信回路が記載されている。
（対比・判断）
　訂正後の発明と引用刊行物１及び引用刊行物２に記載された各発明とを対比すると、本件発明の「インピーダンス素子のインピーダンスは、上記受光素子に逆バイアス電圧を印加したときの上記受光素子自体のインピーダンスよりも十分に低い値に設定された」点が、各引用発明に開示も示唆もされていない。
　すなわち、引用刊行物１には、上記光伝送用受信回路が記載されているものの、インピーダンス素子である抵抗器Ｒ１の機能や特性について記載されておらず、またその技術的意義についても記載がない。また、引用刊行物２に記載されたものは、トランスインピーダンス型増幅回路ではなく、引用刊行物２においても、インピーダンス素子である抵抗器２の特性、機能、技術的意義について何ら記載されていない。
　さらに、「インピーダンス素子のインピーダンスは、上記受光素子に逆バイアス電圧を印加したときの上記受光素子自体のインピーダンスよりも十分に低い値に設定」することが、当業者にとって適宜採用し得る周知の事項であるとも認められない。
　そして、訂正後の発明によって、「増幅部３側からフォトダイオードを見たときのインピーダンスＺpdは、インピーダンス素子６のインピーダンスＺ（抵抗値又は誘導リアクタンス）に略等しく、例えば十数キロオームとされ、従来のようにギガオームのオーダー量に比して充分低くでき、インピーダンス整合が改善され、等価入力雑音レベルの低減を図ることができる」（特許公報６欄６〜１２行）という明細書記載の作用効果を奏することが認められる。
　そうすると、インピーダンス素子のインピーダンスを、本件発明のように、「受光素子に逆バイアス電圧を印加したときの上記受光素子自体のインピーダンスよりも十分に低い値に設定」することが当業者にとって容易であるということはできない。
　したがって、訂正後の発明は、引用刊行物１及び２に記載された発明に基づいて当業者が容易に発明をすることができたものではなく、特許出願の際独立して特許を受けることができるものである。
２−３　むすび
　以上のとおりであるから、上記訂正は特許法等の一部を改正する法律（平成６年法律１１６号。以下「平成６年改正法」という。）附則６条１項の規定によりなお従前の例によるとされる、平成１１年改正前の特許法１２０条の４第３項において準用する平成６年改正法による改正前の特許法１２６条１項ただし書、２項及び３項の規定に適合するので、当該訂正を認める。
　
３　特許異議申立てについて
（本件発明）
　上記のとおり、平成１３年１月５日の訂正請求が認められるので、本件発明は、訂正明細書の特許請求の範囲に記載されたとおりのものと認められる。
（申立ての概要）
　申立人シャープ株式会社は、証拠として甲第１号証（特開昭６０−７９８３９号公報）及び甲第２号証（実願昭６１−１４１８５５号（実開昭６３−４９８３９号）のマイクロフィルム）を提出して、本件発明は甲第１号証ないし甲第２号証に記載された発明であるから、特許法２９条１項３号に該当し、本件発明の特許は取り消すべきであり、また、本件発明は甲第１号証及び甲第２号証に記載された発明に基づいて、当業者が容易に発明をすることができたものでもあるから、該特許は特許法２９条２項の規定に違反してされたもので、取り消すべきであると主張している。
（甲各号証）
［甲第１号証：特開昭６０−７９８３９号公報］
　受光素子であるアバランシェホトダイオード７の一方の端子がバイアス発生回路６０に接続され、他方の端子がインピーダンス素子である抵抗Ｒ６を介して接地された入力部と、ＦＥＴ１１をフロントエンドとする前置増幅回路１０とを有し、前置増幅回路１０の入力端子が結合コンデンサであるコンデンサＣを介してアバランシェホトダイオード７と抵抗Ｒ６との間に接続された受光回路が記載されている。
［甲第２号証：実願昭６１−１４１８５５号（実開昭６３−４９８３９号）のマイクロフィルム］
　第１図には、受光素子１０の一方の端子が電源端子１１に接続され、他方の端子がインピーダンス素子である抵抗１５を介して電源端子１２に接続された入力部と、入力電流に対して電流増幅後に電圧変換した出力を取り出すトランスインピーダンス型増幅回路である反転アンプ１９及び帰還抵抗２１とを有し、トランスインピーダンス型増幅回路の入力端子が結合コンデンサであるコンデンサ１７を介して受光素子１０と抵抗１５との間に接続された受光回路が記載されている。
（対比・判断）
　本件発明と甲第１号証に記載された発明とを対比すると、本件発明の「一方の端子が電源端子に接続され、かつ他方の端子が接地されるとともに、入力電流に対して電流増幅後に電圧変換した出力を取り出すトランスインピーダンス型増幅回路」及び「インピーダンス素子のインピーダンスは、上記受光素子に逆バイアス電圧を印加したときの上記受光素子自体のインピーダンスよりも十分に低い値に設定された」点については、甲第１号証には記載されていない。
　また、本件発明と甲第２号証に記載された発明とを対比すると、甲第２号証には、反転アンプ１９の電源供給端子に係る接続関係について記載されておらず、また、「インピーダンス素子のインピーダンスは、上記受光素子に逆バイアス電圧を印加したときの上記受光素子自体のインピーダンスよりも十分に低い値に設定された」点についても記載されていない。
　そして、本件発明は、「インピーダンス素子のインピーダンスは、上記受光素子に逆バイアス電圧を印加したときの上記受光素子自体のインピーダンスよりも十分に低い値に設定された」ことによって明細書記載の作用効果を奏することが認められる。
　したがって、本件発明は、甲第１号証ないし甲第２号証に記載された発明ではなく、甲第１号証及び甲第２号証に記載された発明に基づいて当業者が容易に発明をすることができたものでもない。
（むすび）
以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律１１６号）附則１４条の規定に基づく、特許法等の一部を改正する法律の施行に伴う経過措置を定める政令（平成７年政令２０５号）４条２項の規定により、上記のとおり決定する。
【異議決定日】
平成１３年３月３０日（２００１．３．３０）
【訂正の要旨】
訂正の要旨
（１）訂正事項Ａ
　特許請求の範囲の記載中、「入力電流に対して電流増幅後に電圧変換した出力を取り出すトランスインピーダンス型増幅回路」を、特許請求の範囲の減縮を目的として、「一方の端子が電源端子に接続され、かつ他方の端子が接地されるとともに、入力電流に対して電流増幅後に電圧変換した出力を取り出すトランスインピーダンス型増幅回路」に訂正する。
　これに伴い、明りょうでない記載の釈明を目的として、明細書の「課題を解決するための手段」及び「発明の効果」の各欄において、「入力電流に対して電流増幅後に電圧変換した出力を取り出すトランスインピーダンス型増幅回路」という記載を、「一方の端子が電源端子に接続され、かつ他方の端子が接地されるとともに、入力電流に対して電流増幅後に電圧変換した出力を取り出すトランスインピーダンス型増幅回路」に訂正する。
（２）訂正事項Ｂ
　特許請求の範囲の記載中、「該トランスインピーダンス型増幅回路の入力端子が結合コンデンサを介して受光素子とインピーダンス素子との間に接続された」を、特許請求の範囲の減縮を目的として、「該トランスインピーダンス型増幅回路の入力端子が、結合コンデンサを介して上記受光素子と上記インピーダンス素子との間に接続され、該インピーダンス素子のインピーダンスは、上記受光素子に逆バイアス電圧を印加したときの上記受光素子自体のインピーダンスよりも十分に低い値に設定された」に訂正する。
　これに伴い、、明りょうでない記載の釈明を目的として、明細書の「課題を解決するための手段」及び「発明の効果」の各欄において、「該トランスインピーダンス型増幅回路の入力端子が結合コンデンサを介して受光素子とインピーダンス素子との間に接続された」という記載を、「該トランスインピーダンス型増幅回路の入力端子が、結合コンデンサを介して受光素子とインピーダンス素子との間に接続され、該インピーダンス素子のインピーダンスは、上記受光素子に逆バイアス電圧を印加したときの上記受光素子自体のインピーダンスよりも十分に低い値に設定された」に訂正する。
（３）訂正事項Ｃ
　明細書１１頁１７行（特許公報６欄６行）「そして、増幅部３」を、明りょうでない記載の釈明を目的として、「そして、フォトダイオード４を逆バイアスしたときのこのフォトダイオード４のインピーダンスは上述したように数十ギガオームと非常に高いので、増幅部３」に訂正する。
　（４）訂正事項Ｄ
　誤記の訂正を目的として、明細書６頁１６行（特許公報４欄１７行）「トランスインピーダンス増幅回路」を「トランスインピーダンス型増幅回路」に、明細書７頁３行（特許公報４欄２４行）「コンデンサｇを」を「コンデンサｇが」に、明細書１２頁７行（特許公報６欄１４行）「インデック管」を「インデックス管」に夫々訂正すると共に、明細書８頁９行（特許公報４欄４８行）および明細書１３頁末行（特許公報６欄５４行）「イングクタ」を「インダクタ」に夫々訂正する。
（５４）【発明の名称】
受光回路
（５７）【特許請求の範囲】
　受光素子の一方の端子が電源端子に接続され、他方の端子がインピーダンス素子を介して接地された入力部と、
　一方の端子が電源端子に接続され、かつ他方の端子が接地されるとともに、入力電流に対して電流増幅後に電圧変換した出力を取り出すトランスインピーダンス型増幅回路とを有し、
　該トランスインピーダンス型増幅回路の入力端子が、結合コンデンサを介して上記受光素子と上記インピーダンス素子との間に接続され、
　該インピーダンス素子のインピーダンスは、上記受光素子に逆バイアス電圧を印加したときの上記受光素子自体のインピーダンスよりも十分に低い値に設定された
　ことを特徴とする受光回路。
【発明の詳細な説明】
　本発明受光回路の詳細を以下の項目に従って説明する。
　Ａ．産業上の利用分野
　Ｂ．発明の概要
　Ｃ．従来技術［第３図］
　　ａ．一般的背景
　　ｂ．従来例［第３図（Ａ）］
　Ｄ．発明が解決しようとする課題［第３図］
　Ｅ．課題を解決するための手段
　Ｆ．実施例［第１図、第２図］
　　ａ．回路［第１図］
　　ｂ．動作
　　ｃ．作用
　　ｄ．適用例［第２図］
　Ｇ．発明の効果
　（Ａ．産業上の利用分野）
　本発明は新規な受光回路に関する。詳しくは、受光素子に加える電源電圧の低減やＣ／Ｎ比（搬送波対雑音比）の向上を図ることができる新規な受光回路を提供しようとするものであり、光通信における光伝送路上の受信回路や各種のセンサー回路、例えば、インデックス管を用いた画像表示装置におけるフォトディテクタ等に広く適用することができる。
　（Ｂ．発明の概要）
　本発明受光回路は、受光素子の一方の端子が電源端子に接続され、他方の端子がインピーダンス素子を介して接地された入力部と、入力電流に対して電流増幅後に電圧変換した出力を取り出すトランスインピーダンス型増幅回路とを有し、該トランスインピーダンス型増幅回路の入力端子が結合コンデンサを介して受光素子とインピーダンス素子との間に接続されるように構成したものであり、これによって、受光素子に加える電源電圧を低減し、電源電圧の共通化を図ることが可能となり、しかも、トランスインピーダンス型増幅回路から見たときの受光素子側のインピーダンスを小さくすることができ、等価入力雑音レベルを低減して、Ｃ／Ｎ比の向上を図ることができるようにしたものである。
　（Ｃ．従来技術）［第３図］
　（ａ．一般的背景）
　光ファイバー等を利用した光通信技術の分野や各種の光センサー回路に用いられる受光（信）回路としては、例えば、光電変換素子としてのフォトダイオードと電圧増幅器とから構成され、入力信号電圧を電圧増幅して出力するようにしたものがあり、そのようなものの一例としては実公昭５９−６０１９号公報に示されたものがある。
　（ｂ．従来例）［第３図（Ａ）］
　しかしながら、上記したような電圧増幅型受光回路にあっては低感度であるとか、ノイズの影響を受け易く、帯域が狭い等の問題があり、これら欠点を克服すべく高感度、低雑音、広帯域を目的とした電流増幅−電圧変換型の、所謂、トランスインピーダンス型増幅器を用いた受光回路が用いられている。
　第３図（Ａ）はそのようなトランスインピーダンス型増幅による受光回路の一例ａを示すものである。
　ｂはフォトダイオードであり、そのカソードが電源端子ｃに接続されている。
　ｄは増幅器であり、その入力端子がフォトダイオードｂのアノードに接続されている。そして、増幅器ｄのプラス側電源端子が電源端子ｅに接続され、マイナス側電源端子が接地されている。
　ｆは帰還抵抗であり、増幅器ｄの出力端子と入力端子との間に介挿されている。
　しかして、フォトダイオードｂに信号光が照射されるときの入力電流をＩとし、増幅器ｄの開放利得を−Ａ、帰還抵抗ｆの抵抗値をＲＦ（Ω）とすると、増幅器ｄの出力電圧ＶＯは−Ｉ・ＲＦとなり、また、その入力インピーダンスが略ＲＦ／（１＋Ａ）となり広帯域化を図ることが原理的には可能となる。
　（Ｄ．発明が解決しようとする課題）［第３図］
　ところで、上記した受光回路ａにあってはフォトダイオードｂによる光信号電流がそのまま増幅器ｄに入力され、電圧出力として取り出されるような構成とされ、トランスインピーダンス型増幅回路の動作点が増幅器ｄの電源電圧値（これをＶＣＣ（Ｖ）とする。）に近いところにあるので、この分を加味した逆バイアス用の電源電圧（これをＶｂ（Ｖ）とする。）をフォトダイオードｂに加える必要がある。従って、常にＶｂ＞ＶＣＣという関係になることは必至であり、通常の回路の共通電圧とされるＶＣＣ（Ｖ）に対して梢高電圧の別の電源回路が必要となり、電源電圧の共通化を図ることができないという問題がある。
　また、上記受光回路ａにあっては、フォトダイオードｂとトランスインピーダンス型増幅回路との間（第３図（Ａ）破線参照）を基準として、これからフォトダイオードｂ側を見たときのインピーダンスＺＰＤが数十ギガΩ程度と高く、また逆にトランスインピーダンス型増幅回路側を見たときのインピーダンスＺｉが数百Ω程度と低い値なので、インピーダンス整合があまり良いとは言えず、実際の回路上の問題として熱ノイズや誘導ノイズ等の影響を受け易く、場合によっては発振を起こす惧れがあるといった不都合がある。
　そこで、実用回路上は、第３図（Ａ）に示すようにフィルター形成用のコンデンサｇが、その一端がフォトダイオードｂのアノードと増幅器ｄの入力端子との間に接続されると共に他端が接地された状態で増幅器ｄの入力段に設けている。
　しかし、これでは受光回路ａの実質的な感度低下を招いたり、第３図（Ｂ）の周波数特性図（ｆ（周波数）−ＶＯ特性）に概略的に示すように、フォトダイオードｂがそれ自身では広帯域に亘る特性を有している（グラフｈ参照）にもかかわらず、コンデンサｇの付加によるフィルター形成によってグラフｉの如く帯域幅が狭められてしまうことになる。従って、このような帯域幅の減少を見込んでより広帯域の高価なフォトダイオードを使用する必要が生じ、コスト上昇が避けられない。
　（Ｅ．課題を解決するための手段）
　そこで、本発明受光回路は、上記した課題を解決するために、受光素子の一方の端子が電源端子に接続され、他方の端子がインピーダンス素子を介して接地された入力部と、」方の端子が電源端子に接続され、かつ他方の端子が接地されるとともに、入力電流に対して電流増幅後に電圧変換した出力を取り出すトランスインピーダンス型増幅回路とを有し、該トランスインピーダンス型増幅回路の入力端子が、結合コンデンサを介して上記受光素子と上記インピーダンス素子との間に接続され、該インピーダンス素子のインピーダンスは、上記受光素子に逆バイアス電圧を印加したときの上記受光素子自体のインピーダンスよりも十分に低い値に設定されたものである。
　従って、本発明受光回路によれば、その一端が電源端子に接続された受光素子の他端をインピーダンス素子（抵抗、インダクタ）を介して接地することによって形成される受光素子の直流バイアス経路と、トランスインピーダンス型増幅回路の入力端子を結合コンデンサを介して受光素子とインピーダンス素子との間に接続することによって形成される受光信号経路とが分離されているので、受光素子のバイアス用に加える電源電圧の低減や電源電圧の共通化を図ることができ、しかも、増幅器側から見たときの受光素子側のインピーダンスの低減によってＣ／Ｎ比の向上を図ることができ、帯域制限の問題や広帯域用受光素子の使用によるコスト上昇を伴うことなく、上記目的を達することができる。
　（Ｆ．実施例）［第１図、第２図］
　以下、本発明受光回路の詳細を図示した実施例に従って説明する。
　（ａ．回路）［第１図］
　１は受光回路であり、該受光回路１は入力部２と増幅部３とからなる。
　４はフォトダイオードであり、そのカソードが電源端子５（この電源電圧をＶＢ（Ｖ）とする。）に接続され、そのアノードがインピーダンス素子６、つまり、抵抗やインダクタを介して接地されている。
　７は結合コンデンサであり、その一端がフォトダイオード４とインピーダンス素子６との間に接続されている。
　８は演算増幅器であり、その電源端子の一方が電源電圧ＶＣＣ（Ｖ）の電源端子９に接続されると共に、他方が接地されている。そして、演算増幅器８の入力端子は上記結合コンデンサ７の反インピーダンス素子６側端子に接続されている。
　１０は帰還抵抗であり、演算増幅器８の入力端子と出力端子との間に介挿されている。
　（ｂ．動作）
　しかして、上記受光回路１の動作は以下のようになる。尚、第１図に示す各種記号の意味は、Ｖｉがフォトダイオード４とインピーダンス素子６との間の電位、ＩＢが直流バイアス電流、ＩＳが受光信号電流を各々示しており、ＶＯは増幅出力を示している。また、入力部２と増幅部３との問を基準として（第１図破線参照）、フォトダイオード４側を見たときのインピーダンスがＺＰＤ）、逆にトランスインピーダンス型増幅回路側を見たときのインピーダンスがＺｉである。
　先ず、直流バイアス経路としては電源電圧ＶＢによってインピーダンス素子６を介してなされるが、ＩＢは通常数十ナノアンペア程度なので、実効バイアス電圧Ｖ
と見なすことができる。
　他方、受光信号経路としては受光信号電流ＩＳが結合コンデンサ７を介して増幅部３に入力され、ここで電流増幅された後、電圧変換されて出力電圧ＶＯとして取り出されることになる。
　（ｃ．作用）
　上記受光回路１にあっては実効バイアス電圧が電源電圧ＶＢに略等しいとみなす
きる。また、仮りにアバランシェフォトダイオードのように高い逆バイアス電源を要するフォトダイオードを使用している場合でも従来に比して電源端子５に加える電圧ＶＢを低くすることができる。
　そして、フォトダイオード４を逆バイアスしたときのこのフォトダイオード４のインピーダンスは上述したように数１０ギガオームと非常に高いので、増幅部３側からフォトダイオード４を見たときのインピーダンスＺＰＤはインピーダンス素子６のインピーダンスＺ（抵抗値又は誘導リアクタンス）に略等しく、例えば、十数キロオームとされ、従来のようにギガオームのオーダー量に比して十分低くでき、インピーダンス整合が改善され、等価入力雑音レベルの低減を図ることができる。
　（ｄ．適用例）［第２図］
　第２図は上述した受光回路１をインデックス管におけるフォトディテクタ１１に適用した例を概略的に示すものである。
　図中１２は発色用のストライプ蛍光面であり、その電子銃１３側の裏面にインデックス蛍光体１４、１４、・・・が一定の間隔でストライプ状に形成されている。
　そして、電子ビームの走査に伴って、ストライプ蛍光面１２の色蛍光体と共にインデックス蛍光体１４、１４、・・・が発光し、この時のシンチレーションをフォトディテクタ１１で受光し、ここで信号光を電気信号に変換することによって、インデックス蛍光体１４、１４、・・・のストライプピッチにより規定される周期のパルス信号が得られ、これが電子ビームの位置検出用の信号として処理されることになる。
　このようなインデックス管においては電子ビームの走査に伴う高周波誘導ノイズの発生が避けられないが、フォトディテクタ１１に本発明受光回路１を適用することによって、誤検出の少ないインデックス検出を行うことができる。
　（Ｇ．発明の効果）
　以上に記載したところがら明らかなように本発明受光回路は、受光素子の一方の端子が電源端子に接続され、他方の端子がインピーダンス素子を介して接地された入力部と、一方の端子が電源端子に接続され、かつ他方の端子が接地されるとともに、入力電流に対して電流増幅後に電圧変換した出力を取り出すトランスインピーダンス型増幅回路とを有し、該トランスインピーダンス型増幅回路の入力端子が、結合コンデンサを介して上記受光素子と上記インピーダンス素子との間に接続され、該インピーダンス素子のインピーダンスは、上記受光素子に逆バイアス電圧を印加したときの上記受光素子自体のインピーダンスよりも十分に低い値に設定されたことを特徴とする。
　従って、本発明受光回路によれば、その一端子が電源端子に接続された受光素子の他端をインピーダンス素子（抵抗、インダクタ）を介して接地することによって形成される受光素子の直流バイアス経路と、トランスインピーダンス型増幅回路の入力端子を結合コンデンサを介して受光素子とインピーダンス素子との間に接続することによって形成される受光信号経路とが分離されているので、受光素子のバイアス用に加える電源電圧の低減や電源電圧の共通化を図ることができる。また、増幅器側から見たときの受光素子側のインピーダンスの低減によってＣ／Ｎ比の向上を図ることができ、従来のように入力部と増幅器との間に設けられるフィルター用コンデンサが不要か、又は静電容量の小さいもので済み、フィルター形成による帯域制限の程度が小さく、よって等価帯域幅が拡がり、受光素子固有の帯域に近い帯域に亘ってこれを利用することができる。よって、同一帯域幅の受光素子であれば、容量の大きいものを使用したり、受光素子を並列接続して使用するようなことも可能となり、これに伴って受光面積が大きくなれば感度も向上する。また逆に、従来の受光回路と同等の帯域幅で使用する際には従来に比して帯域の狭い安価な受光素子を用いることができる。
【図面の簡単な説明】
　第１図及び第２図は本発明受光回路の実施の一例を示すもので、第１図は回路図、第２図は適用例を示す説明図、第３図は従来の受光回路の一例を示しており、（Ａ）は回路図、（Ｂ）は問題点を説明するための周波数特性図である。
　符号の説明
　１・・・受光回路、　２・・・入力部、
　３・・・トランスインピーダンス型増幅回路、
　４・・・受光素子、　５・・・電源端子、
　６・・・インピーダンス素子、
　７・・・結合コンデンサ